(57)【特許請求の範囲】
【請求項１】
送信側からの、符号化処理、インタリーブ処理、バースト配置処理および変調処理後の送信信号を、無線伝送路を介して受信する受信装置において、
受信信号の既知系列部分に基づいてバースト単位に変調方式を判定する変調方式判定手段と、
判定された変調方式に基づいて受信信号を軟判定する軟判定手段と、
変調方式の変更が行われない期間に判定された過去の変調方式に誤りがある場合、該当する軟判定値を補正するための制御を行う軟判定値変更制御手段と、
前記軟判定手段出力の軟判定値を記憶し、さらに、前記軟判定値変更制御手段の制御にしたがって軟判定値を補正する軟判定値記憶／補正手段と、
記憶された軟判定値に対してデインタリーブ処理を行うデインタリーブ手段と、
デインタリーブ処理後の軟判定値を復号する復号手段と、
を備えることを特徴とする受信装置。
【請求項２】
送信側からの、符号化処理、インタリーブ処理、バースト配置処理および変調処理後の送信信号を、無線伝送路を介して受信する受信装置において、
受信信号の既知系列部分に基づいてバースト単位に変調方式を判定する変調方式判定手段と、
判定された変調方式に基づいて受信信号を軟判定する軟判定手段と、
変調方式の変更が行われない期間に判定された過去の変調方式に誤りがある場合、該当する圧縮軟判定値を補正するための制御を行う圧縮軟判定値変更制御手段と、
前記軟判定手段出力の軟判定値のビット数を圧縮する軟判定値圧縮手段と、
前記圧縮軟判定値を記憶し、さらに、前記圧縮軟判定値変更制御手段の制御にしたがって圧縮軟判定値を補正する圧縮軟判定値記憶／補正手段と、
記憶された圧縮軟判定値に対してデインタリーブ処理を行うデインタリーブ手段と、
デインタリーブ処理後の圧縮軟判定値を伸張し、その結果を軟判定値とする圧縮軟判定値伸張手段と、
伸張後の軟判定値を復号する復号手段と、
を備えることを特徴とする受信装置。
【請求項３】
前記変調方式判定手段は、
受信信号の既知系列部分と、送信側で用いられる可能性のある複数の変調方式に対応した既知系列と、の相関電力をそれぞれ計算する複数の相関電力計算手段と、
前記相関電力計算手段に個別に対応する構成とし、相関電力の累積加算を行い、その結果を対応する変調方式の信頼度とする累積加算手段と、
各変調方式に対応した信頼度を比較し、最も信頼度の大きい変調方式を受信信号の変調方式とする判定手段と、
を備えることを特徴とする請求項１または２に記載の受信装置。
【請求項４】
前記変調方式判定手段は、
受信信号の既知系列部分と、送信側で用いられる可能性のある複数の変調方式に対応した既知系列と、の相関電力をそれぞれタイミングをずらしながら計算する複数の相関電力計算手段と、
前記相関電力計算手段に個別に対応する構成とし、得られた相関電力のなかから最大のものを選択し、その結果を正式な相関電力とする最大値選択手段と、
前記最大値選択手段に個別に対応する構成とし、相関電力の累積加算を行い、その結果を対応する変調方式の信頼度とする累積加算手段と、
各変調方式に対応した信頼度を比較し、最も信頼度の大きい変調方式を受信信号の変調方式とする判定手段と、
を備えることを特徴とする請求項１または２に記載の受信装置。
【請求項５】
前記変調方式判定手段は、
さらに、前記複数の相関電力計算手段の前段に、受信信号の位相を各変調方式に対応した回転量で逆回転する逆回転手段、
を備えることを特徴とする請求項４に記載の受信装置。
【請求項６】
前記変調方式判定手段は、複数系統の受信信号の既知系列部分に基づいてバースト単位に変調方式を判定し、
前記軟判定手段は、判定後の変調方式および複数系統の受信信号に基づいて軟判定値を計算することを特徴とする請求項１または２に記載の受信装置。
【請求項７】
前記変調方式判定手段は、
送信側で用いられる可能性のある変調方式単位に、前記複数系統分の受信信号の既知系列部分と特定の変調方式に対応した既知系列との相関電力を計算する複数の相関電力計算手段と、
変調方式単位に、複数系統分の相関電力の総和を計算する相関電力合成手段と、
前記相関電力合成手段に個別に対応する構成とし、相関電力の総和の累積加算を行い、その結果を対応する変調方式の信頼度とする累積加算手段と、
各変調方式に対応した信頼度を比較し、最も信頼度の大きい変調方式を受信信号の変調方式とする判定手段と、
を備えることを特徴とする請求項６に記載の受信装置。
【請求項８】
前記変調方式判定手段は、
送信側で用いられる可能性のある変調方式単位に、前記複数系統分の受信信号の既知系列部分と特定の変調方式に対応した既知系列との相関電力を、タイミングをずらしながら計算する複数の相関電力計算手段と、
変調方式単位に、複数系統分の相関電力の総和を計算する相関電力合成手段と、
前記相関電力合成手段に個別に対応する構成とし、得られた相関電力の総和のなかから最大のものを選択し、その結果を正式な相関電力とする最大値選択手段と、
前記最大値選択手段に個別に対応し、相関電力の累積加算を行い、その結果を対応する変調方式の信頼度とする累積加算手段と、
各変調方式に対応した信頼度を比較し、最も信頼度の大きい変調方式を受信信号の変調方式とする判定手段と、
を備えることを特徴とする請求項６に記載の受信装置。
【請求項９】
前記変調方式判定手段は、
送信側で用いられる可能性のある変調方式単位に、前記複数系統分の受信信号の既知系列部分と特定の変調方式に対応した既知系列との相関電力を、タイミングをずらしながら計算する相関電力計算手段と、
変調方式単位に、各系統の受信信号に対応する相関電力のなかからそれぞれ最大のものを選択する最大値選択手段と、
変調方式単位に、各選択相関電力の総和を計算する相関電力合成手段と、
前記相関電力合成手段に個別に対応する構成とし、相関電力の累積加算を行い、その結果を対応する変調方式の信頼度とする累積加算手段と、
各変調方式に対応した信頼度を比較し、最も信頼度の大きい変調方式を受信信号の変調方式とする判定手段と、
を備えることを特徴とする請求項６に記載の受信装置。
【発明の詳細な説明】
【０００１】
【発明の属する技術分野】
本発明は、自動車電話、携帯電話、コードレス電話などの無線通信分野における受信装置に関するものであり、特に、バーストごとに変調方式を判定し、同じ符号化ブロックにおいて一部のバーストに変調方式の判定誤りがある場合に、誤った軟判定値を補正する受信装置に関するものである。
【０００２】
【従来の技術】
以下、従来の受信装置について説明する。従来、通信中に変調方式を変更する場合には、送信側が事前に受信側の装置に対して変更する内容を通知し、その後、変調方式を変更していた。また、移動体通信のように通信状況の変化が激しい通信システムの場合には、受信装置に対して事前に通知することなく変調方式を変更し、柔軟に情報伝送速度を変えることで、平均的な通信速度の高速化を図るとともに、秘匿性を強めていた。特に、ＴＤＭＡ通信のように受信信号がバースト的に通信されるような通信システムでは、バーストに含まれる既知データにより変調方式が決定される。
【０００３】
また、携帯電話などの移動体通信システムでは、送信側で送信データに畳込み符号などの符号化を施し、受信装置が、復調したデータに対して符号化に対応した復号処理を行い、通信中に発生した誤りを訂正する。このような誤り訂正を行うことにより、ある程度の通信品質を確保する。
【０００４】
また、上記移動体通信システムにおける受信装置においては、復調されたデータに対して誤り訂正を行う場合、軟判定復号を行う方が、硬判定復号よりも品質の良い伝送を実現できることが当業者において知られている。ここで、硬判定復号における硬判定値は、送信信号が何であったかを判定した結果であり、軟判定復号における軟判定値は、硬判定値に信頼度を加えたものである。たとえば、送信側により１または−１の２値信号が送信された場合、硬判定値は１または−１であり、軟判定値は０.９や−０.４などとなる。なお、ここでは、軟判定値の符号が硬判定値（＋の場合１、−の場合−１となる）を表し、軟判定値の絶対値をとったものが信頼度（絶対値が大きい方が信頼できる）を表す。
【０００５】
また、上記移動体通信システムにおいては、送信側にて符号化後のデータに対してインタリーブ処理を施すことにより、１つのバーストに誤りが集中した場合においても、受信装置によるデインタリーブ処理により誤りを分散できるため、当該誤りを訂正することができる。
【０００６】
このように、ＰＤＣ、ＩＳ−１３６およびＧＳＭなどの移動体通信システムでは、符号化後のデータを複数のバーストにより送信する。また、上記システムでは、符号化ブロック単位、もしくは符号化後のデータの数ブロックごとに、変調方式を切り替える。
【０００７】
【発明が解決しようとする課題】
しかしながら、上記、移動体通信システムにおける従来の受信装置では、同一の符号化ブロックを含むすべてのバーストを受信後に変調方式を決定する場合、複数バーストの受信信号をすべて記憶しておく必要があるため、回路規模が増大する、という問題があった。
【０００８】
一方、バースト単位に変調方式を決定し、復調後に得られた判定値を記憶する場合については、上記複数バーストの受信信号をすべて記憶する場合と比較して回路規模（記憶容量）を小さくできるが、誤った変調方式で復調処理が行われる可能性が高くなるため、この誤りにより受信した符号化ブロックを正しく復号できない場合がある、という問題があった。
【０００９】
本発明は、上記に鑑みてなされたものであって、回路規模を削減しつつ、誤り訂正能力の向上を実現可能な受信装置を得ることを目的とする。
【００１０】
【課題を解決するための手段】
上述した課題を解決し、目的を達成するために、本発明にかかる受信装置にあっては、送信側からの、符号化処理、インタリーブ処理、バースト配置処理および変調処理後の送信信号を、無線伝送路を介して受信する構成とし、受信信号の既知系列部分に基づいてバースト単位に変調方式を判定する変調方式判定手段（後述する実施の形態の変調方式判定部６１に相当）と、判定された変調方式に基づいて受信信号を軟判定する軟判定手段（軟判定部６２に相当）と、変調方式の変更が行われない期間に判定された過去の変調方式に誤りがある場合、該当する軟判定値を補正するための制御を行う軟判定値変更制御手段（軟判定値変更制御部６３に相当）と、前記軟判定手段出力の軟判定値を記憶し、さらに、前記軟判定値変更制御手段の制御にしたがって軟判定値を補正する軟判定値記憶／補正手段（軟判定値記憶部６４に相当）と、記憶された軟判定値に対してデインタリーブ処理を行うデインタリーブ手段（デインタリーブ部１６に相当）と、デインタリーブ処理後の軟判定値を復号する復号手段（復号部１７に相当）と、を備えることを特徴とする。
【００１１】
つぎの発明にかかる受信装置にあっては、送信側からの、符号化処理、インタリーブ処理、バースト配置処理および変調処理後の送信信号を、無線伝送路を介して受信する構成とし、受信信号の既知系列部分に基づいてバースト単位に変調方式を判定する変調方式判定手段と、判定された変調方式に基づいて受信信号を軟判定する軟判定手段と、変調方式の変更が行われない期間に判定された過去の変調方式に誤りがある場合、該当する圧縮軟判定値を補正するための制御を行う圧縮軟判定値変更制御手段（軟判定値変更制御部６３に相当）と、前記軟判定手段出力の軟判定値のビット数を圧縮する軟判定値圧縮手段（軟判定値圧縮部７１に相当）と、前記圧縮軟判定値を記憶し、さらに、前記圧縮軟判定値変更制御手段の制御にしたがって圧縮軟判定値を補正する圧縮軟判定値記憶／補正手段（軟判定値記憶部７２に相当）と、記憶された圧縮軟判定値に対してデインタリーブ処理を行うデインタリーブ手段と、デインタリーブ処理後の圧縮軟判定値を伸張し、その結果を軟判定値とする圧縮軟判定値伸張手段（軟判定値伸張部７３に相当）と、伸張後の軟判定値を復号する復号手段と、を備えることを特徴とする。
【００１２】
つぎの発明にかかる受信装置において、前記変調方式判定手段は、受信信号の既知系列部分と、送信側で用いられる可能性のある複数の変調方式に対応した既知系列と、の相関電力をそれぞれ計算する複数の相関電力計算手段（相関電力計算部８３に相当）と、前記相関電力計算手段に個別に対応する構成とし、相関電力の累積加算を行い、その結果を対応する変調方式の信頼度とする累積加算手段（累積加算部８４に相当）と、各変調方式に対応した信頼度を比較し、最も信頼度の大きい変調方式を受信信号の変調方式とする判定手段（判定部８２に相当）と、を備えることを特徴とする。
【００１３】
つぎの発明にかかる受信装置において、前記変調方式判定手段は、受信信号の既知系列部分と、送信側で用いられる可能性のある複数の変調方式に対応した既知系列と、の相関電力をそれぞれタイミングをずらしながら計算する複数の相関電力計算手段（相関電力計算部９２に相当）と、前記相関電力計算手段に個別に対応する構成とし、得られた相関電力のなかから最大のものを選択し、その結果を正式な相関電力とする最大値選択手段（最大値選択部９３に相当）と、前記最大値選択手段に個別に対応する構成とし、相関電力の累積加算を行い、その結果を対応する変調方式の信頼度とする累積加算手段と、各変調方式に対応した信頼度を比較し、最も信頼度の大きい変調方式を受信信号の変調方式とする判定手段と、を備えることを特徴とする。
【００１４】
つぎの発明にかかる受信装置においては、前記変調方式判定手段は、さらに、前記複数の相関電力計算手段の前段に、受信信号の位相を各変調方式に対応した回転量で逆回転する逆回転手段（位相逆回転部１０２に相当）、を備えることを特徴とする。
【００１５】
つぎの発明にかかる受信装置において、前記変調方式判定手段（変調方式判定部１１１に相当）は、複数系統の受信信号の既知系列部分に基づいてバースト単位に変調方式を判定し、前記軟判定手段（軟判定部１１２に相当）は、判定後の変調方式および複数系統の受信信号に基づいて軟判定値を計算することを特徴とする。
【００１６】
つぎの発明にかかる受信装置において、前記変調方式判定手段は、送信側で用いられる可能性のある変調方式単位に、前記複数系統分の受信信号の既知系列部分と特定の変調方式に対応した既知系列との相関電力を計算する複数の相関電力計算手段（相関電力計算部１２２ａ、１２２ｂに相当）と、変調方式単位に、複数系統分の相関電力の総和を計算する相関電力合成手段（加算部１２３に相当）と、前記相関電力合成手段に個別に対応する構成とし、相関電力の総和の累積加算を行い、その結果を対応する変調方式の信頼度とする累積加算手段と、各変調方式に対応した信頼度を比較し、最も信頼度の大きい変調方式を受信信号の変調方式とする判定手段と、を備えることを特徴とする。
【００１７】
つぎの発明にかかる受信装置において、前記変調方式判定手段は、送信側で用いられる可能性のある変調方式単位に、前記複数系統分の受信信号の既知系列部分と特定の変調方式に対応した既知系列との相関電力を、タイミングをずらしながら計算する複数の相関電力計算手段（相関電力計算部１３２ａ、１３２ｂに相当）と、変調方式単位に、複数系統分の相関電力の総和を計算する相関電力合成手段（加算部１３３に相当）と、前記相関電力合成手段に個別に対応する構成とし、得られた相関電力の総和のなかから最大のものを選択し、その結果を正式な相関電力とする最大値選択手段と、前記最大値選択手段に個別に対応し、相関電力の累積加算を行い、その結果を対応する変調方式の信頼度とする累積加算手段と、各変調方式に対応した信頼度を比較し、最も信頼度の大きい変調方式を受信信号の変調方式とする判定手段と、を備えることを特徴とする。
【００１８】
つぎの発明にかかる受信装置において、前記変調方式判定手段は、送信側で用いられる可能性のある変調方式単位に、前記複数系統分の受信信号の既知系列部分と特定の変調方式に対応した既知系列との相関電力を、タイミングをずらしながら計算する相関電力計算手段と、変調方式単位に、各系統の受信信号に対応する相関電力のなかからそれぞれ最大のものを選択する最大値選択手段（最大値選択部１４２ａ、１４２ｂに相当）と、変調方式単位に、各選択相関電力の総和を計算する相関電力合成手段（加算部１４３に相当）と、前記相関電力合成手段に個別に対応する構成とし、相関電力の累積加算を行い、その結果を対応する変調方式の信頼度とする累積加算手段と、各変調方式に対応した信頼度を比較し、最も信頼度の大きい変調方式を受信信号の変調方式とする判定手段と、を備えることを特徴とする。
【００１９】
【発明の実施の形態】
以下に、本発明にかかる受信装置の実施の形態を図面に基づいて詳細に説明する。なお、この実施の形態によりこの発明が限定されるものではない。
【００２０】
実施の形態１．
図１は、本発明にかかる受信装置の構成を示す図である。図１において、１１はアンテナであり、１２は受信波の帯域制限やダウンコンバートなどの処理を行うアナログ処理部であり、１３はダウンコンバートされた受信信号をディジタルの受信信号（以下、受信信号と呼ぶ）に変換するアナログ／ディジタル変換器（Ａ／Ｄ）であり、１４はディジタル処理部であり、１５は軟判定処理により受信信号を復調する復調部であり、１６は復調後のデータをもとの系列に並べ替える（後述するインタリーブ部２４の逆の処理）デインタリーブ部であり、１７はデインタリーブ処理後のデータに対して誤り訂正処理を行う復号部である。なお、図１は、受信装置の主要な機能を記述したものであり、発明自体を限定するものではない。また、ディジタル処理部１４については、Ｈ／Ｗ，Ｓ／ＷおよびＤＳＰなどのＦ／Ｗによって実現することができる。
【００２１】
ここで、上記本発明の特徴となる受信装置の動作を説明する前に、送信側の装置（送信機）の動作について説明する。図２は、送信機の構成を示す図である。図２において、２２は送信部であり、２３は情報源２１から受け取ったデータ（音声を符号化したデータやインターネットのデータなど）に対して誤り訂正のための符号化を行う符号化部であり、２４は符号化データの並べ替えを行うインタリーブ部であり、２５はインタリーブ後の符号化データをバーストに配置するバースト配置部であり、２６はバースト信号を変調する変調部であり、２７は変調後の信号に対してアップコンバートなどの処理を行う送信処理部であり、２８はアンテナである。なお、送信部２２では、変調方式を、符号化ブロック単位に通信状態に応じて切り替える。また、以降では、説明の便宜上、ＢＰＳＫ（Binary Phase Shift Keying）とＱＰＳＫ（Quaternary Phase Shift Keying）を切り替えて送信する場合について説明する。
【００２２】
図３は、ＴＤＭＡ（Time Division Multiple access：時分割多元接続）通信における符号化ブロックの分割例を示す図である。上記送信部２２では、まず、符号化部２３が送信データに対して所定の符号化処理を行い、つぎに、インタリーブ部２４が符号化ブロック３１に対してインタリーブ処理を行い、つぎにバースト配置部２５がインタリーブ処理後の符号化ブロックを４つのブロックに分割し、当該４つのブロックをＴＤＭＡフレーム３２のバースト３３ａ，３３ｂ，３３ｃ，３３ｄにそれぞれ配置する。その後、バースト３３ａ，３３ｂ，３３ｃ，３３ｄは、同じ変調方式で変調される。
【００２３】
なお、図４は、上記各バーストの構成を示す図である。既知系列４１は、受信装置側において既知のデータであり、変調方式に応じて異なる系列を割当てる。情報系列４２は、上記のように分割された符号化データである。テイルシンボル４３は、軟判定処理などに利用する既知のデータである。
【００２４】
また、図５は、上記図４とは異なる、バーストの構成を示す図である。既知系列５１は、受信装置側において既知のデータであり、変調方式に応じて異なる系列を割当てる。情報系列５２ａおよび５２ｂは、分割された符号化データをさらに２つに分けて配置したものである。テイルシンボル５３ａおよび５３ｂは、軟判定処理などに利用する既知のデータである。
【００２５】
つぎに、上記受信装置の動作について説明する。図６は、復調部１５の構成を示す図である。図６において、６１は変調方式判定部であり、６２は軟判定部であり、６３は軟判定値変更制御部であり、６４は軟判定値記憶部である。
【００２６】
変調方式判定部６１では、受信信号内の既知系列４１との相関に基づいて、バースト単位に変調方式の判定を行う。軟判定部６２では、判定された変調方式にしたがって軟判定を行う。なお、軟判定部６２としては、公知の技術である同期検波などが利用される。また、マルチパスなどにより符号間干渉が存在するような場合は、公知の技術である軟判定出力の等化器などが利用される。
【００２７】
軟判定値変更制御部６３では、同一の符号化ブロックに含まれる最終のバースト（図３の例ではバースト３３ｄに相当）の変調方式の判定結果と異なる判定が行われたバーストが存在した場合に、そのバーストの軟判定値を補正するように軟判定値記憶部６４を制御する。
【００２８】
軟判定値記憶部６４では、軟判定部６２にて判定された軟判定値を記憶し、軟判定値変更制御部６３の制御に基づいて、当該軟判定値の補正を行う。たとえば、以下のように判定された場合、
（１）バースト３３ａの変調方式判定結果：ＢＰＳＫ
（２）バースト３３ｂの変調方式判定結果：ＱＰＳＫ
（３）バースト３３ｃの変調方式判定結果：ＱＰＳＫ
（４）バースト３３ｄの変調方式判定結果：ＱＰＳＫ
バースト３３ａの変調方式判定結果が、バースト３３ｄの変調方式判定結果と異なるので、バースト３３ａの軟判定値をＱＰＳＫのものと置き換える。すなわち、ＢＰＳＫとして判定された軟判定値は１シンボル当たり１個の軟判定値として記憶されているが、ＱＰＳＫの軟判定値は１シンボル当たり２個の軟判定値が存在することになる。また、このとき、置き換える軟判定値の値は、“０”もしくは信頼度の低い適当な値に設定する。
【００２９】
図７は、上記変調方式判定部６１の構成を示す図である。図７において、８１ａおよび８１ｂは信頼度計算部であり、８２は判定部であり、８３は相関電力計算部であり、８４は累積加算部である。
【００３０】
信頼度計算部８１ａでは、相関電力計算部８３が、受信信号の既知系列４１に相当する部分と、ＢＰＳＫに対応する既知系列と、の相関電力を計算する。そして、累積加算部８４が、バーストごとに出力される相関電力を累積加算し、その結果を信頼度として判定部８２に出力する。なお、累積加算対象の相関電力は、同じ符号化ブロックに含まれるバーストのものとする。すなわち、バースト３３ａ〜３３ｄに対する相関電力をＱａ，Ｑｂ，Ｑｃ，Ｑｄとした場合、各バーストに対応する信頼度Ｒａ，Ｒｂ，Ｒｃ，Ｒｄは、それぞれ以下のように表すことができる。
【００３１】
Ｒａ＝Ｑａ                        （１）
Ｒｂ＝Ｑａ＋Ｑｂ                  （２）
Ｒｃ＝Ｑａ＋Ｑｂ＋Ｑｃ            （３）
Ｒｄ＝Ｑａ＋Ｑｂ＋Ｑｃ＋Ｑｄ      （４）
【００３２】
信頼度は、Ｒａ→Ｒｄの順で精度がよくなる。なお、信頼度計算部８１ｂでは、ＱＰＳＫに対応する既知系列を利用して、上記と同様にバーストごとの信頼度を計算する。
【００３３】
判定部８２は、信頼度の大きい方に対応した変調方式を、変調方式の判定結果とする。すなわち、信頼度計算部８１ａから出力された信頼度の方が大きければ、変調方式をＢＰＳＫと判定し、信頼度計算部８１ｂから出力された信頼度の方が大きければ、変調方式をＱＰＳＫと判定する。
【００３４】
したがって、デインタリーブ部１６および復号部１７では、バースト３３ｄにおける変調方式の信頼度Ｒｄの判定結果（変調方式）に対応するデインタリーブ処理および復号処理が行われる。なお、累積加算部８４においては、変調方式が複数の符号化ブロック単位に変化する場合、符号化ブロック単位ではなく、変調方式の変更が行われない期間単位で累積加算を行うことにより、さらに変調方式の判定誤りを減らすことができる。
【００３５】
図８は、図７とは異なる変調方式判定部６１の構成を示す図である。図８において、９１ａおよび９１ｂは信頼度計算部であり、９２は相関電力計算部であり、９３は最大値選択部である。なお、上記図７と同様の構成については、同一の符号を付してその説明を省略する。
【００３６】
信頼度計算部９１ａでは、相関電力計算部９２が、受信信号の既知系列４１に相当する部分と、ＢＰＳＫに対応する既知系列Ｉ（ｉ）と、の相関電力候補Ｑａ（ｋ）を計算する（ｉ＝０，…，Ｎ−１、ｋ＝−Ｍ，…，０，…，Ｍ）。なお、Ｎは既知系列長を表し、Ｍは検出可能なシンボルタイミングの片側範囲を表す。
Ｑａ（ｋ）＝｜Σ［ｒ（ｉ＋ｋ）×ＣＯＮＪＧ｛Ｉ（ｉ）｝］｜2  （５）
【００３７】
ただし、Σはｉ＝０，…，Ｎ−１の総和を計算する。また、ＣＯＮＪＧ｛ａ｝は、複素数ａの複素共役を表す。
【００３８】
最大値選択部９３では、相関電力計算部９２から出力される相関電力候補のなかから最大のものを選択し、その値を相関電力として出力する。累積加算部８４は、図７の例と同様に累積加算値を計算し、その結果を判定部８２に出力する。なお、信頼度計算部９１ｂでは、ＱＰＳＫに対応する既知系列を利用して、信頼度計算部９１ａと同様にバーストごとの信頼度を計算する。
【００３９】
したがって、上記判定部８２では、バーストの正確なシンボル位置が不明な場合やマルチパスによる符号間干渉か存在するような場合においても、変調方式の判定が可能となる。
【００４０】
図９は、図７および図８とは異なる変調方式判定部６１の構成を示す図である。図９において、１０１ａおよび１０１ｂは信頼度計算部であり、１０２は位相逆回転部である。ここでは、変調方式が、π／２シフトＢＰＳＫとπ／４シフトＱＰＳＫのように、位相をシフトした変調方式である場合について説明する。なお、上記図７または図８と同様の構成については、同一の符号を付してその説明を省略する。
【００４１】
信頼度計算部１０１ａでは、位相逆回転部１０２が、受信信号の位相をπ／２だけ逆回転する。相関電力計算部９２、最大値選択部９３、累積加算部８４では、上記同様、バーストごとに信頼度を計算する。一方、信頼度計算部１０１ｂでは、受信信号の位相をπ／４だけ逆回転し、ＱＰＳＫに対応する既知系列を利用して、バーストごとに信頼度を計算する。
【００４２】
したがって、上記判定部８２では、π／２シフトＢＰＳＫとπ／４シフトＱＰＳＫのように位相をシフトした変調方式である場合においても、変調方式の判定が可能となる。
【００４３】
このように、本実施の形態においては、バーストごとに変調方式を判定し、その判定結果に基づいて軟判定を行う構成としたため、符号化ブロックに含まれるすべてのバーストの受信信号を記憶する必要がなくなる。これにより、メモリ領域の削減および装置全体の回路規模の削減を実現できる。また、同じ符号化ブロックの一部のバーストに変調方式の判定誤りがある場合においても、誤った軟判定値を補正可能な構成とした。これにより、常に符号化ブロックを正しく復号することができるため、従来よりも品質の良い通信が可能となる。
【００４４】
また、本実施の形態においては、同一の符号化ブロックに含まれるバーストの信頼度を累積加算し、この累積値に基づいて変調方式を判定する構成としたため、従来よりも精度良く変調方式を判定することができる。また、デインタリーブ部および復号部が、上記のように判定した変調方式に基づいてデインタリーブ処理および復号処理を行う構成としたため、誤ったデインタリーブ処理および復号処理を行う確率を低減できる。
【００４５】
また、本実施の形態においては、受信信号のタイミングをずらしながら相関電力候補を計算し、その相関電力候補のなかから最大のものを選択し、その選択結果の累積加算値を信頼度とする構成としたため、たとえば、受信信号のタイミングが分からない場合やマルチパスによる符号間干渉が存在する場合においても、精度良く変調方式を判定することができる。
【００４６】
また、本実施の形態においては、受信信号の位相を逆回転してから相関電力を計算する構成としたため、変調方式に位相シフトが含まれている場合においても、精度良く変調方式を判定することができる。また、位相シフトによる回転処理を含める必要がなくなるため、相関電力計算部の構成を簡易化できる。
【００４７】
なお、実施の形態１では、変調方式が２通りである場合の構成および動作について説明したが、これに限らず、たとえば、変調方式が３通り以上の場合においても、信頼度計算部を３つ以上設ける構成とすることで、上記と同様の効果を得ることができる。
【００４８】
実施の形態２．
図１０は、本発明にかかる受信装置の実施の形態２の構成を示す図である。図１０において、１５ａは復調部であり、７１は軟判定値圧縮部であり、７２は軟判定値記憶部であり、７３は軟判定値伸張部である。なお、前述の実施の形態１と同様の構成については、同一の符号を付してその説明を省略する。
【００４９】
軟判定値圧縮部７１では、軟判定部６２の出力する軟判定値を圧縮する。図１１は、軟判定値圧縮部７１における圧縮処理および伸張処理を示す図である。たとえば、軟判定値が−１２８から１２７の８ビットである場合、軟判定値圧縮部７１では、図１１に示すように、当該軟判定値を０から７の３ビットに圧縮する。
【００５０】
軟判定値記憶部７２では、軟判定値圧縮部７１出力の軟判定値を記憶し、軟判定値変更制御部６３の制御に基づいて、過去に受信したバーストの圧縮後の軟判定値を補正する。たとえば、以下のように判定された場合、
（１）バースト３３ａの変調方式判定結果：ＢＰＳＫ、
（２）バースト３３ｂの変調方式判定結果：ＱＰＳＫ、
（３）バースト３３ｃの変調方式判定結果：ＱＰＳＫ、
（４）バースト３３ｄの変調方式判定結果：ＱＰＳＫ、
バースト３３ａの変調方式判定結果が、バースト３３ｄの変調方式判定結果と異なるので、バースト３３ａの軟判定値をＱＰＳＫのものとして“３”もしくは“４”と置き換える。なお、この値は、伸張後の信頼度が最も低い軟判定値に相当する。
【００５１】
軟判定値伸張部７３では、デインタリーブ後の圧縮後の軟判定値を、図１１に示すように伸張する。
【００５２】
このように、本実施の形態においては、前述の実施の形態１と同様の効果が得られるとともに、軟判定値を圧縮して記憶する構成としたため、メモリ領域をさらに大幅に削減することができる。
【００５３】
実施の形態３．
図１２は、本発明にかかる受信装置の実施の形態３の構成を示す図である。図１２において、１５ｂは復調部であり、１１１は変調方式判定部であり、１１２は軟判定部である。この復調部１５ｂは、２系統の受信信号をダイバーシチ受信する。なお、本実施の形態では、２系統の信号を受信する場合について説明するが、これに限らず、３系統以上の信号を受信することも可能である。また、ここでは、実施の形態２の応用例として説明するが、変調方式判定部１１１および軟判定部１１２については実施の形態１の応用例としても適用可能である。また、前述の実施の形態１または２と同様の構成については、同一の符号を付してその説明を省略する。
【００５４】
変調方式判定部１１１では、２系統の受信信号内の既知系列４１との相関に基づいて、バースト単位に変調方式の判定を行う。軟判定部１１２では、判定された変調方式にしたがって軟判定を行う。なお、軟判定部１１２としては、２系統の受信信号を同期検波し、その総和を計算することにより軟判定値を得る、公知技術が利用される。また、マルチパスなどにより符号間干渉が存在するような場合は、２系統の受信信号を利用して軟判定値を推定する公知の軟判定出力等化器などが利用される。
【００５５】
図１３は、上記変調方式判定部１１１の構成を示す図である。図１３において、１２１ａおよび１２１ｂは信頼度計算部であり、１２２ａおよび１２２ｂは相関電力計算部であり、１２３は加算部である。なお、前記図７、図８または図９と同様の構成については、同一の符号を付してその説明を省略する。
【００５６】
信頼度計算部１２１ａでは、相関電力計算部１２２ａおよび１２２ｂが、受け取った受信信号の既知系列４１に相当する部分と、ＢＰＳＫに対応する既知系列と、の相関をそれぞれ計算する。そして、加算部１２３が、相関電力計算部１２２ａおよび１２２ｂ出力の相関電力を加算し、その結果を合成した相関電力として累積加算部８４に出力する。
【００５７】
図１４は、図１３とは異なる変調方式判定部１１１の構成を示す図である。図１４において、１３１ａおよび１３１ｂは信頼度計算部であり、１３２ａおよび１３２ｂは相関電力計算部であり、１３３は加算部である。なお、前記図７、図８または図９と同様の構成については、同一の符号を付してその説明を省略する。
【００５８】
信頼度計算部１３１ａでは、相関電力計算部１３２ａおよび１３２ｂが、それぞれ受け取った受信信号の既知系列４１に相当する部分と、ＢＰＳＫに対応する既知系列Ｉ（ｉ）と、の相関電力候補Ｑａａ（ｋ）およびＱａｂ（ｋ）を計算する（ｉ＝０，…，Ｎ−１、ｋ＝−Ｍ，…，０，…，Ｍ）。なお、Ｎは既知系列長を表し、Ｍは検出可能なシンボルタイミングの片側範囲を表す。
Ｑａａ（ｋ）＝｜Σｒa（ｉ＋ｋ）×ＣＯＮＪＧ［Ｉ（ｉ）］｜2  （６）
Ｑａｂ（ｋ）＝｜Σｒb（ｉ＋ｋ）×ＣＯＮＪＧ［Ｉ（ｉ）］｜2  （７）
【００５９】
ただし、ｒa（ｎ）およびｒｂ（ｎ）は２系統の受信信号を表し、Ｑａａ（ｋ）はｋシンボルずらした場合の受信信号ｒａ（ｎ）と既知系列との相関電力候補を表し、Ｑａｂ（ｋ）はｋシンボルずらした場合の受信信号ｒｂ（ｎ）と既知系列との相関電力候補を表す。また、Σは、ｉ＝０，…，Ｎ−１の総和を計算する。また、ＣＯＮＪＧ［ａ］は、複素数ａの複素共役を表す。
【００６０】
加算部１３３では、相関電力計算部１３２ａおよび１３２ｂの出力する相関電力候補を加算し、その結果を合成した相関電力候補Ｑａ（ｋ）を最大値選択部９４に出力する（ｋ＝−Ｍ，…，０，…，Ｍ）。
Ｑａ（ｋ）＝Ｑａａ（ｋ）＋Ｑａｂ（ｋ）      （８）
【００６１】
図１５は、図１３および図１４とは異なる変調方式判定部１１１の構成を示す図である。図１５において、１４１ａおよび１４１ｂは信頼度計算部であり、１４２ａおよび１４２ｂは最大値選択部であり、１４３は加算部である。なお、前記図１４と同様の構成については、同一の符号を付してその説明を省略する。
【００６２】
信頼度計算部１４１ａでは、最大値選択部１４２ａおよび１４２ｂが、相関電力計算部１３２ａおよび１３２ｂの出力する相関電力候補Ｑａａ（ｋ）およびＱａｂ（ｋ）の最大値を選択し、その結果を相関電力として加算部１４３に出力する（ｋ＝−Ｍ，…，０，…，Ｍ）。
【００６３】
加算部１４３では、最大値選択部１４２ａおよび１４２ｂの出力する相関電力を加算し、その結果を累積加算部８４に出力する。
【００６４】
このように、本実施の形態においては、前述の実施の形態１および２と同様の効果が得られるとともに、さらに、ダイバーシチ受信に対応し、複数系統の受信信号に基づいて軟判定および変調方式判定を行う構成としたため、より高い品質の通信を実現することができる。
【００６５】
【発明の効果】
以上、説明したとおり、本発明によれば、バーストごとに変調方式を判定し、その判定結果に基づいて軟判定を行う構成としたため、符号化ブロックに含まれるすべてのバーストの受信信号を記憶する必要がなくなる。これにより、メモリ領域の削減および装置全体の回路規模の削減を実現できる、という効果を奏する。また、同じ符号化ブロック（変調方式の変更が行われない期間）の一部のバーストに変調方式の判定誤りがある場合においても、誤った軟判定値を補正可能な構成とした。これにより、常に符号化ブロックを正しく復号することができるため、従来よりも品質の良い通信が可能となる、という効果を奏する。
【００６６】
つぎの発明によれば、さらに、軟判定値を圧縮して記憶する構成としたため、メモリ領域をさらに大幅に削減することができる、という効果を奏する。
【００６７】
つぎの発明によれば、同一の符号化ブロックに含まれるバーストの信頼度を累積加算し、この累積値に基づいて変調方式を判定する構成としたため、従来よりも精度良く変調方式を判定することができる、という効果を奏する。また、デインタリーブ手段および復号手段が、判定後の変調方式に基づいてデインタリーブ処理および復号処理を行う構成としたため、誤ったデインタリーブ処理および復号処理を行う確率を低減できる、という効果を奏する。
【００６８】
つぎの発明によれば、受信信号のタイミングをずらしながら相関電力候補を計算し、その相関電力候補のなかから最大のものを選択し、その選択結果の累積加算値を信頼度とする構成としたため、たとえば、受信信号のタイミングが分からない場合やマルチパスによる符号間干渉が存在する場合においても、精度良く変調方式を判定することができる、という効果を奏する。
【００６９】
つぎの発明によれば、受信信号の位相を逆回転してから相関電力を計算する構成としたため、変調方式に位相シフトが含まれている場合においても、精度良く変調方式を判定することができる、という効果を奏する。また、位相シフトによる回転処理を含める必要がなくなるため、相関電力計算手段の構成を簡易化できる、という効果を奏する。
【００７０】
つぎの発明によれば、さらに、ダイバーシチ受信に対応し、複数系統の受信信号に基づいて軟判定および変調方式判定を行う構成としたため、より高い品質の通信を実現することができる、という効果を奏する。
【００７１】
つぎの発明によれば、ダイバーシチ受信に対応し、同一の符号化ブロックに含まれるバーストの信頼度を累積加算し、この累積値に基づいて変調方式を判定する構成としたため、さらに精度良く変調方式を判定することができる、という効果を奏する。
【００７２】
つぎの発明によれば、ダイバーシチ受信に対応し、受信信号のタイミングをずらしながら相関電力候補を計算し、その相関電力候補のなかから最大のものを選択し、その選択結果の累積加算値を信頼度とする構成としたため、たとえば、受信信号のタイミングが分からない場合やマルチパスによる符号間干渉が存在する場合において、さらに精度良く変調方式を判定することができる、という効果を奏する。
【００７３】
つぎの発明によれば、ダイバーシチ受信に対応し、受信信号のタイミングをずらしながら相関電力候補を計算し、その相関電力候補のなかから最大のものを選択し、その選択結果の累積加算値を信頼度とする構成としたため、たとえば、受信信号のタイミングが分からない場合やマルチパスによる符号間干渉が存在する場合において、さらに精度良く変調方式を判定することができる、という効果を奏する。
【図面の簡単な説明】
【図１】  本発明にかかる受信装置の構成を示す図である。
【図２】  送信機の構成を示す図である。
【図３】  ＴＤＭＡ通信における符号化ブロックの分割例を示す図である。
【図４】  バーストの構成例を示す図である。
【図５】  バーストの構成例を示す図である。
【図６】  実施の形態１の復調部の構成を示す図である。
【図７】  変調方式判定部の構成例を示す図である。
【図８】  変調方式判定部の構成例を示す図である。
【図９】  変調方式判定部の構成例を示す図である。
【図１０】  本発明にかかる受信装置の実施の形態２の構成を示す図である。
【図１１】  軟判定値圧縮部における圧縮処理および伸張処理を示す図である。
【図１２】  本発明にかかる受信装置の実施の形態３の構成を示す図である。
【図１３】  変調方式判定部の構成例を示す図である。
【図１４】  変調方式判定部の構成例を示す図である。
【図１５】  変調方式判定部の構成例を示す図である。
【符号の説明】
１  アンテナ、１２  アナログ処理部、１３  アナログ／ディジタル変換器（Ａ／Ｄ）、１４  ディジタル処理部、１５，１５ａ，１５ｂ  復調部、１６  デインタリーブ部、１７  復号部、６１  変調方式判定部、６２  軟判定部、６３軟判定値変更制御部、６４  軟判定値記憶部、７１  軟判定値圧縮部、７２  軟判定値記憶部、７３  軟判定値伸張部、８１ａ，８１ｂ  信頼度計算部、８２判定部、８３  相関電力計算部、８４  累積加算部、９１ａ，９１ｂ  信頼度計算部、９２  相関電力計算部、９３  最大値選択部、１０１ａ，１０１ｂ  信頼度計算部、１０２  位相逆回転部、１１１  変調方式判定部、１１２  軟判定部、１２１ａ，１２１ｂ  信頼度計算部、１２２ａ，１２２ｂ  相関電力計算部、１２３  加算部、１３１ａ，１３１ｂ  信頼度計算部、１３２ａ，１３２ｂ  相関電力計算部、１３３  加算部、１４１ａ，１４１ｂ  信頼度計算部、１４２ａ，１４２ｂ  最大値選択部、１４３  加算部。
【図１】
0003811002.tif 000002
【図２】
0003811002.tif 000003
【図３】
0003811002.tif 000004
【図４】
0003811002.tif 000005
【図５】
0003811002.tif 000006
【図６】
0003811002.tif 000007
【図７】
0003811002.tif 000008
【図８】
0003811002.tif 000009
【図９】
0003811002.tif 000010
【図１０】
0003811002.tif 000011
【図１１】
0003811002.tif 000012
【図１２】
0003811002.tif 000013
【図１３】
0003811002.tif 000014
【図１４】
0003811002.tif 000015
【図１５】
0003811002.tif 000016